(57)【要約】      （修正有）【課題】ホームページを利用した洋服衣服のオーダーメイド販売に関するもので、簡単な操作手順でホームページのデータベースから洋服のオーダーができるようにする。【解決手段】服地部門データベースから服地を選択し、デザイン部門データベースから好みのデザイン・スタイルを選択し、各部名称パーツ画像より各部パーツ画像を選択組合せて好みの全体デザインに仕上げる。身体サイズ（ウエスト、バストなど）を入力するとグループサイズで採寸サイズが決まり、身体写真画像を表示する。客から写真が提供されている場合は必要ならば体型補正する。客が上記一連の操作を行うとホームページに掲載記録され、確認後、承諾を得て電子契約され、販売元に通知され、契約成立となる。【選択図】なし【特許請求の範囲】
【請求項１】
洋服、衣服のオーダーを、インターネット、プロダイバ、ウエブサーバー、ウエブページ（ホームページ）、クライアント・サーバー、利用、クライアント（客）がホームページから
【０００１】
【０００３】
【０００４】
【００１５】
【００１６】各工程の部門データーベースをコントロール、注文洋服のオーダー、ビジネス方法。
【請求項２】
各部門データーベース
【０００５】
【０００６】
【０００７】作成の選出。
【請求項３】
身体採寸データーベースの採寸方法またプログラムデーターデースの
【０００８】
【００９】
【００１０】
【００１１】
【００１２】
【００１３】の作成選出。
【請求項４】
身体サイズ画像データベース作成表示掲載に
【００１３】サイズの選出。
【請求項５】
各工程のコントロール
【００１５】契約等、操作の選出
【請求項６】
身体採寸データーベースと
【００１３】の
【００１５】の選出。
【請求項７】
身体の体型補正の診断
【００１４】写真の選出。
【発明の詳細な説明】
【０００１】
【発明の属する技術分野】
洋服、衣服のイージー、オーダー部門を、インターネット、プロバイダ、ウエブサーバー、ウエブページ（ホームページ）、ウエブサイト、クライアント・サーバー利用、クライアント（客）へ洋服、衣服のオーダー、メードの、洋服を販売することにある。
デジタル写真で、映した数ある画像服地を選択決定します。洋服衣服の、基本画像スタイルデザインから好みスタイルデザインを選び、またスタイルデザインらを基に、各部名称画像パーツ部分の、パーツの取替え画像で、新しいパーツ画像部分のデザインの組合せを行い、全体のスタイルデザインを決定します。身体の必要サイズ一部分を、自己申告（顧客様）により身体採寸を行い、クライアント（顧客様）より全身体写真を、提供いただき身体体型の補正判断材料とします。
クライアント（客）が、パソコン、携帯（端末機）等を使用操作してインターネットで、この一連の工程を、ホームページ（元になるページ）のデーターベースから、工程ページ部門を、コントロール操作、検索、記録、編集、契約等の双方向間（データー）行う、ソフトウエア（プログラム）で、インターネット、プロダイバ、ウエブサーバー、ウエブページ（ホームページ）、ウエブサイト、クライアント・サーバーを通じて、洋服（衣服）のオーダー、ビジネス方法にある。
【０００２】
【従来の技術】
洋服オーダーするお客様に、店舗、訪問、していただき、専門技術者が一対一でお客の希望の服地選択、スタイルデザイン等、アドバイス行い採寸して、販売契約し縫製して納品しています。
【０００３】
【発明が解決しょうとする課題】
インターネット、プロバイダ、ウエブページ（ホームページ）、ウエブサーバー、クライアント・サーバーを利用した、クライアント（客）が、ホーム（元になるページ）より服地部門ページをコントロール操作で、服地写真掲載から服地の選別を行う、デザイン部門ページ、洋服のデザイン等を基本のモデル画像より参考に、各部名称部分のパーツ組み換え画像で、（例）（ポケット型、襟の型サイズ、等）の組合せ、付属部分（裏地、釦）等の、好みのパーツの組み換えデザインを行う、採寸部門ページ、採寸プログラム工程を利用、採寸を行う、写真受信ページ、（掲載身体写真より顧客様者の、身体体形を知るための写真、正面、横、後面、）一連工程を得て、受、発注の、確認、契約、等をすべてクライアント（客）がコントロール操作行い、電子契約受信を交わす。
販売元は電子販売契約を、パソコンに受信し掲載、記載保存され契約成立となる。
【０００４】
【問題を解決するための手段】
上記問題点を解決するために、契約、プログラム利用方法等、明細文の掲載、ホームページのデーターベース（元になる受注表）の工程表作成、又各部門ページを、データーベース、操作機能作成、ホームページよりコントロール操作を行い、操作結果をホームページ（受注表）データーベースに記録掲載する。
【０００５】
服地部門データーベースページを作成、写真撮影した数々服地に個々に、プライス、番号（記号）等を割当て写真掲載したデーターベースを、ホームページ（元ページ）操作より、服地選択行いホームページに、番号（記号）写真を掲載決定する。
服地写真、番号（記号）追加、削除、等の変更、更新を行います。
【０００６】
デザイン部門データーベースページ作成、（１）サンプルとなる基本画像のオーソドックススーツ、トラディショナルスーツ、インターナショナル流行スーツ、コート等の何種類かの基本となるスーツ画像掲載、個々にスタイル名または記号で区別してデーターベースする。（２）各部名称パーツ画像データーベース作成、パーツデザインに名称、番号、記号、割当て掲載、説明掲載する。スタイル名、記号、等で選別を行います。
スーツの基本画像の各部の名称部分に（２）の、パーツ取替え機能設置してホームページから操作手順をえて、サンプル基本スーツ、各部名称パーツ部分等を、選定して番号、記号（画像）でホームページに掲載決定する。
また、新モデルスーツの各部パーツ等の追加削除等の更新を行います。
【０００７】
各部名称パーツ画像（例）前身シングル（１釦、２釦、３釦、４釦、その他）前身ダブル（１×２釦、１×４釦、１×４釦、１×６釦、２×４釦、２×６釦、４×  その他）
ラペルパーツ（ノッチ、セミノッチ、ピークラペル、セミピークラペル、クローバ型その他）
ポケット型パーツ（両玉、型玉、ハコポケ、斜ポケ、チェンジポケ、その他）
フラップ型パーツ（角、丸型、その他）
その他  ベンツ、ノフォーク、背バンド、袖釦数、ベスト襟付き、プリーツ、裾口、等などの各部名称部分のパーツ画像を自由に選択組合せ、好みの全体デザインに仕上げる。
各パーツ追加削除等の更新を行う。
【０００８】
採寸ページデーターベース作成、オーダーメイドの洋服を製作するには、デザインと寸法が必要である、洋服を採寸する箇所は、身長、首周り、総丈、着丈、座高、肩幅、袖丈、首、行丈、コート丈、バスト、中胴、ウエスト、ヒップ、ベスト丈、腰丈、股下、腕、腿、等の組み合せで採寸されたサイズを利用した採寸方法がある。（一部のサイズ不要可能、また他のサイズを付け加えることも可能である。）
基本として、身長、総丈、着丈、袖丈、肩幅、バスト、中胴、ウエスト、ヒップ、ベスト丈、腰丈（股上）、股下、裾口、等のサイズの組み合わせ採寸プログラムにある。（また他のサイズ部分を、増減することも可能）
【０００９】
採寸データーベースページの作成説明
身体の各サイズ部分をグループ別に分けます。
（ａ）グループは、身長を軸に、身長、総丈、着丈、袖丈（左右）、ベスト丈、股上、股下、裾口、
（ｂ）グループは、ウエストを軸に、肩幅、バスト、中胴、ウエスト、ヒップ、
（ｃ）グループは、ヒップを軸に、肩幅、バスト、中胴、ウエスト、ヒップ、
（ｄ）グループは、バストを軸に、肩幅、バスト、中胴、ウエスト、ヒップ、
（ｅ）グループは、（ａ）グループと（ｂ）（ｃ）（ｄ）の軸になるグループで、各サイズ部分は核サイズで、全体サイズ構成されます。（中胴を軸に、中胴を軸に、肩幅、バスト、中胴、ウエスト、ヒップ、もグループとして可能である。）
また、他のグループを組み、グループ別に組合せることも可能である。
【００１０】
（ａ）グループ内の身長軸の身長サイズは、１．０センチサイズ単位にし、総丈、着丈、袖丈、ベスト丈、股上、股下、の各サイズ部分のサイズは、０．５センチ単位に、データーベース作成してある。身長サイズごとに基本の核サイズ決め、身長サイズを入力または検索、クリックで身体の全サイズを表示する。（サイズ単位は、自由に設定可能）
【００１１】
（ｂ）グループ内の、ウエストサイズを軸にウエストとヒップ、バストの差寸サイズごとに、データーベースを作成してある。ウエストサイズを入力またはウエストサイズ検索クリックでグループ内の、ウエスト核サイズを決め組合せサイズ表示する。
（ｃ）グループ内の、ヒップサイズ軸に各サイズとの組合せ、ヒップサイズ検索クリックでグループ内の、ヒップ核サイズを決め組合せサイズ表示する。
（ｄ）グループ内の、バストサイズ軸に各サイズとの組合せ、バストサイズは肩幅に連動される。検索クリックでグループ内の、バスト核サイズを決め組合せサイズ表示する。
（ｂ）（ｃ）（ｄ）は同じサイズ組合せデーターベースを作成、利用される。
【００１２】
データーベース作成は（ａ）グループの身長サイズは核になるサイズ順、（ｂ）グループ、（ｃ）グループ、（ｄ）グループも核になるサイズ順になる。
（ａ）グループの着丈、袖丈、ベスト丈、股上、股下、等のサイズも核サイズ順になる。（ａ）、（ｂ）、（ｃ）、（ｄ）、グループの、各サイズは核の（（ｅ）グループ）優先順位に、データーベースにサイズ入力構築され、データーベースは、各、（ｅ）身体サイズごとにオートナンバー（ｅ）グループで固定される。
サイズ表示方法はホームのデーターベースからコントロール検索クリックで、採寸データーベースからの昇降下検索でホームのデーターベースに、選出表示される。
又各サイズ選出条件を指定して選出もできる。
（ｅ）の身長サイズで全サイズが表示されるが、他に（例）裾口サイズ部分のデーターベースを作成、表示される裾口サイズ検索クリックで、裾口データーベース、にリレーションショップ（関連付け）機能で、裾口サイズ部分のみのサイズ選択できる。他のサイズ部分の、サイズでのデーターベース作成方法での、選出条件を構築して選出も可能である。
【００１３】
各、（ｅ）身体サイズごとに、身体写真画像のデーターベースを作成、リレーションショップ（関連付け）をして画像の表示も可能である。作成画像にサイズ表示ができる。
【００１４】
クライアント（客）の身体体型を知るために、写真掲載のデーターベース、ページを設け、全身体（正面、横面、後面）から、体型補正診断する。必ずしも、必要ではないが、その場合は正体の型の洋服仕上げとなる。
【００１５】
ホーム（元の）データーベース、ページは各、服地部門データーベース、デザイン部門データーベース、各パーツ、採寸データーベース、身体画像写真、掲載写真等のデーターベースをホームのデーターベースにてデーターの入力、表示、編集、などをパソコン等端末機で、コントロールする。この一連の発注工程を得て各工程の決定事項記載で、クライアント（客）は、販売元にデーターデース（ホームページにて）発注して記録、掲載され電子契約される。（各、部門ページの増減削除等、更新を行うものである。）
【００１６】
【実施例】
クライアント（客）が、インターネット、プロダイバ、ウエブサーバー、ウエブページ（ホームページ）クライアント・サーバーに接続し、このソフトウエアにて、ホームデーターベース（元）コントロール操作で、服地データーベースからデジタル映像画像より沢山の服地（記号）の中からオーダーしたい服地を、ホーム（受注表）に表示決定します。
同じように、洋服のデザイン部分から、デザインデーターベースで、基本の何種類かの各スタイル基本画像から各部名称部分の画像パーツの選択（取替え）行い、洋服全体像のデザインを決定（選択）受注表に表示決定します。
身体サイズは自己申告となりますが、最初に身長を入力（選択クリック）します、身長、総丈、着丈、袖丈、肩幅、バスト、中胴、ウエスト、ヒップ、ベスト丈、股上、股下、裾口、等の核サイズが表示されます、各サイズ部分は核となるサイズ部分を、優先順位にデーターベースに入力、データーベース化し昇降下順位に並べ替えオートナンバーにて固定され一部分サイズはリレーションショプ（別データーベースから）で各サイズを選択表示する。身長サイズ決定後、ウエストサイズ合わない方は、ウエストサイズ選択することによりウエストサイズに合う核サイズに変化します。このようにヒップ、バスト、袖丈、股下、ベスト丈、着丈、と続けて部分サイズ検索クリックして、採寸を行います。
（手順進行例）
（１）身長サイズ指定、サイズ検索クリック毎回ごとに、各、身長サイズは平均的に多い身体サイズグループと、各部分サイズグループともに、核サイズとして優先順位として最初に表示する。
（２）ウエストサイズ指定、サイズ検索クリック毎回ごとに、各ウエストサイズは平均的サイズグループの核サイズ優先順位として表示する。この場合身長サイズグループはサイズ変更されない。
（３）ヒップサイズ指定、サイズ検索クリック毎回ごとに、各ヒップサイズは平均サイズグループで核サイズ優先順位として表示する。この場合身長サイズグループは、変便されない。またウエストサイズも変便されない。
（４）バストサイズ指定、サイズ検索クリック毎回ごとに、各バストサイズグループで表示されるから、同じように、ウエスト、ヒップ、サイズ等の単品サイズは変便されない、この場合も身長グループは変更されない。
（５）袖丈サイズは、基本サイズを優先順位され検索クリックでサイズ変便しても他のサイズは、変更されない。
（６）股下サイズは、基本サイズを優先順位され検索クリックでサイズ変便しても他のサイズは、変便されない。
（７）着丈、ベスト丈は、部分検索変便され他のサイズ部分は変便されない。
このように、（１）〜（７）までの身体サイズの自己申告で身体サイズの採寸を行います、上記（１）の、身長サイズ申告で、核サイズ選出されるが、最も多いサイズで構成され身長サイズだけでも、サイズが決まるケースがある。このようにウエスト、ヒップ、バスト袖丈、股下サイズ、申告でも、各、サイズで最も多いサイズを優先順位としているので、サイズ申告を（１）〜（７）まで検索クリックし、確認等で採寸される。
採寸を行う方法として（３）、（４）の検索順位を変えてサイズ表示もできる。
（ここまでの採寸サイズでの製品化は、正体体型の洋服仕上りになります。）
出来る限り身体に合う洋服を、提供するために、写真着信ページへ、クライアント（客）の全姿の正面、横面、後面、の表示される画像写真より、（肩上り肩下り、屈身体、返身、Ｏ脚（蟹股））等の写真判断行い、製品化にいかします。
このように、写真画像の服地選択から洋服デザイン、各部名称パーツ画像組替え、身体採寸、身体写真体型（身体体型は縫製作業の参考診断写真です、）等の全工程の電子受注契約書作成、確認して契約を行う新、ビジネスモデルのソフトウエアです。